(57)【特許請求の範囲】
【請求項１】
第１電力モードおよび該第１電力モードより消費電力が小さい第２電力モードで動作する画像形成装置であって、
外部装置から送信される画像データを受信する受信手段と、
原稿を読み取って画像データを取得する読取手段と、
前記受信手段により受信された画像データに基づいて画像形成するプリント機能又は前記読取手段により取得された画像データに基づいて画像形成するコピー機能を実行する画像形成手段と、
前記第１電力モードから前記第２電力モードに移行するための移行時間を設定する設定手段と、
（Ａ）前記設定手段により設定された前記移行時間が所定時間より長く、かつ、前記コピー機能による画像形成が実行される場合は、該画像形成が実行されかつ前記移行時間のウエイト処理をした後に前記画像形成装置を前記第２電力モードへ移行させ、（Ｂ）前記設定手段により設定された前記移行時間が所定時間より長く、かつ、前記プリント機能による画像形成が実行される場合は、該画像形成が実行されかつ前記移行時間のウエイト処理をした後に前記画像形成装置を前記第２電力モードへ移行させ、（Ｃ）前記設定手段により設定された前記移行時間が前記所定時間以下であり、かつ、前記コピー機能による画像形成が実行される場合は、該画像形成が実行されかつ前記移行時間のウエイト処理をした後に前記画像形成装置を前記第２電力モードへ移行させ、（Ｄ）前記設定手段により設定された前記移行時間が前記所定時間以下であり、かつ、前記プリント機能による画像形成が実行される場合は、該画像形成が実行された後に前記移行時間のウエイト処理をせずに前記画像形成装置を前記第２電力モードへ移行させる、制御手段と、
を備えることを特徴とする画像形成装置。
【請求項２】
前記移行時間のウエイト処理は、前記設定手段によって設定された前記移行時間をカウントする処理であって、前記移行時間のウエイト処理をした後に前記画像形成装置が前記第２電力モードに移行する、ことを特徴とする請求項１に記載の画像形成装置。
【請求項３】
前記制御手段の制御モードを選択するための選択手段をさらに備え、
前記選択手段が第１の制御モードを選択した場合、
前記制御手段は、
（Ａ）前記設定手段により設定された前記移行時間が所定時間より長く、かつ、前記コピー機能による画像形成が実行される場合は、該画像形成が実行されかつ前記移行時間のウエイト処理をした後に前記画像形成装置を前記第２電力モードへ移行させ、（Ｂ）前記設定手段により設定された前記移行時間が所定時間より長く、かつ、前記プリント機能による画像形成が実行される場合は、該画像形成が実行されかつ前記移行時間のウエイト処理をした後に前記画像形成装置を前記第２電力モードへ移行させ、（Ｃ）前記設定手段により設定された前記移行時間が前記所定時間以下であり、かつ、前記コピー機能による画像形成が実行される場合は、該画像形成が実行されかつ前記移行時間のウエイト処理をした後に前記画像形成装置を前記第２電力モードへ移行させ、（Ｄ）前記設定手段により設定された前記移行時間が前記所定時間以下であり、かつ、前記プリント機能による画像形成が実行される場合は、該画像形成が実行された後に前記移行時間のウエイト処理をせずに前記画像形成装置を前記第２電力モードへ移行させ、
前記選択手段が第２の制御モードを選択した場合、
前記制御手段は、
（Ｅ）前記コピー機能による画像形成が実行されかつ前記移行時間のウエイト処理をした後に前記画像形成装置を前記第２電力モードへ移行させ、（Ｆ）前記プリント機能による画像形成が実行された後に前記移行時間のウエイト処理をせずに前記画像形成装置を前記第２電力モードへ移行させる、ことを特徴とする請求項１又は２に記載の画像形成装置。
【請求項４】
前記選択手段が第３の制御モードを選択した場合、
前記制御手段は、
（Ｇ）前記プリント機能による画像形成が実行されかつ前記移行時間のウエイト処理をした後に前記画像形成装置を前記第２電力モードへ移行させ、（Ｈ）前記コピー機能による画像形成が実行されかつ前記移行時間のウエイト処理をした後に前記画像形成装置を前記第２電力モードへ移行させる、ことを特徴とする請求項３に記載の画像形成装置。
【請求項５】
前記制御手段は、
（Ｄ）前記設定手段により設定された前記移行時間が前記所定時間以下であり、かつ、前記プリント機能による画像形成が実行される場合は、該画像形成が実行された後すぐに前記画像形成装置を前記第２電力モードへ移行させる、ことを特徴とする請求項１に記載の画像形成装置。
【請求項６】
第１電力モードおよび該第１電力モードより消費電力が小さい第２電力モードで動作する画像形成装置の制御方法であって、
外部装置から送信される画像データを受信する受信ステップと、
原稿を読み取って画像データを取得する読取ステップと、
前記受信ステップにおいて受信された画像データに基づいて画像形成するプリント機能を実行する第１の画像形成ステップと、
前記読取ステップにおいて取得された画像データに基づいて画像形成するコピー機能を実行する第２の画像形成ステップと、
前記第１電力モードから前記第２電力モードに移行するための移行時間を設定する設定ステップと、
（Ａ）前記設定された前記移行時間が所定時間より長く、かつ、前記第２の画像形成ステップによる画像形成が実行される場合は、該画像形成が実行されかつ前記移行時間のウエイト処理をした後に前記画像形成装置を前記第２電力モードへ移行させ、（Ｂ）前記設定された前記移行時間が所定時間より長く、かつ、前記第１の画像形成ステップによる画像形成が実行される場合は、該画像形成が実行されかつ前記移行時間のウエイト処理をした後に前記画像形成装置を前記第２電力モードへ移行させ、（Ｃ）前記設定された前記移行時間が前記所定時間以下であり、かつ、前記第２の画像形成ステップによる画像形成が実行される場合は、該画像形成が実行されかつ前記移行時間のウエイト処理をした後に前記画像形成装置を前記第２電力モードへ移行させ、（Ｄ）前記設定された前記移行時間が前記所定時間以下であり、かつ、前記第１の画像形成ステップによる画像形成が実行される場合は、該画像形成が実行された後に前記移行時間のウエイト処理をせずに前記画像形成装置を前記第２電力モードへ移行させる制御ステップと、を実行することを特徴とする画像形成装置の制御方法。
【請求項７】
前記制御ステップにおける制御モードを選択するための選択ステップをさらに備え、
前記選択ステップで第１の制御モードが選択された場合、
前記制御ステップでは、
（Ａ）前記設定された前記移行時間が所定時間より長く、かつ、前記第２の画像形成ステップによる画像形成が実行される場合は、該画像形成が実行されかつ前記移行時間のウエイト処理をした後に前記画像形成装置を前記第２電力モードへ移行させ、（Ｂ）前記設定された前記移行時間が所定時間より長く、かつ、前記第１の画像形成ステップによる画像形成が実行される場合は、該画像形成が実行されかつ前記移行時間のウエイト処理をした後に前記画像形成装置を前記第２電力モードへ移行させ、（Ｃ）前記設定された前記移行時間が前記所定時間以下であり、かつ、前記第２の画像形成ステップによる画像形成が実行される場合は、該画像形成が実行されかつ前記移行時間のウエイト処理をした後に前記画像形成装置を前記第２電力モードへ移行させ、（Ｄ）前記設定された前記移行時間が前記所定時間以下であり、かつ、前記第１の画像形成ステップによる画像形成が実行される場合は、該画像形成が実行された後に前記移行時間のウエイト処理をせずに前記画像形成装置を前記第２電力モードへ移行させ
前記選択ステップで第２の制御モードが選択された場合、
前記制御ステップでは、
（Ｅ）前記第２の画像形成ステップによる画像形成が実行されかつ前記移行時間のウエイト処理をした後に前記画像形成装置を前記第２電力モードへ移行させ、（Ｆ）前記第１の画像形成ステップによる画像形成が実行された後に前記移行時間のウエイト処理をせずに前記画像形成装置を前記第２電力モードへ移行させる、ことを特徴とする請求項６に記載の画像形成装置の制御方法。
【請求項８】
前記選択ステップで第３の制御モードを選択された場合、
前記制御ステップでは、
（Ｇ）前記第１の画像形成ステップによる画像形成が実行されかつ前記移行時間のウエイト処理をした後に前記画像形成装置を前記第２電力モードへ移行させ、（Ｈ）前記第２の画像形成ステップによる画像形成が実行されかつ前記移行時間のウエイト処理をした後に前記画像形成装置を前記第２電力モードへ移行させる、ことを特徴とする請求項７に記載の画像形成装置の制御方法。
【請求項９】
前記制御ステップでは、
（Ｄ）前記設定された前記移行時間が前記所定時間以下であり、かつ、前記第１の画像形成ステップによる画像形成が実行される場合は、該画像形成が実行された後にすぐに前記画像形成装置を前記第２電力モードへ移行させる、ことを特徴とする請求項６乃至８のいずれか１項に記載の画像形成装置の制御方法。
【請求項１０】
請求項６乃至９の何れか１項に記載の画像形成装置の制御方法をコンピュータに実行させるためのプログラム。
【請求項１１】
第１電力モードおよび該第１電力モードより消費電力が小さい第２電力モードを有する画像形成装置であって、
前記画像形成装置が有する第１機能を実行する第１負荷および第２機能を実行する第２負荷と、
前記第１電力モードから前記第２電力モードに移行するための移行時間を設定する設定手段と、
（Ａ）前記設定手段により設定された前記移行時間が所定時間より長く、かつ、前記第１機能が実行される場合は、該第１機能が実行されかつ前記移行時間のウエイト処理をした後に前記画像形成装置を前記第２電力モードへ移行させ、（Ｂ）前記設定手段により設定された前記移行時間が所定時間より長く、かつ、前記第２機能が実行される場合は、該第２機能が実行されかつ前記移行時間のウエイト処理をした後に前記画像形成装置を前記第２電力モードへ移行させ、（Ｃ）前記設定手段により設定された前記移行時間が前記所定時間以下であり、かつ、前記第１機能が実行される場合は、該第１機能が実行されかつ前記移行時間のウエイト処理をした後に前記画像形成装置を前記第２電力モードへ移行させ、（Ｄ）前記設定手段により設定された前記移行時間が前記所定時間以下であり、かつ、前記第２機能が実行される場合は、該第２機能が実行された後に前記移行時間のウエイト処理をせずに前記画像形成装置を前記第２電力モードへ移行させる、制御手段と、
を備えることを特徴とする画像形成装置。
【請求項１２】
前記移行時間の前記ウエイト処理は、前記設定手段によって設定された前記移行時間をカウントする処理であって、前記移行時間のウエイト処理をした後に前記画像形成装置が前記第２電力モードに移行する、ことを特徴とする請求項１１に記載の画像形成装置。
【請求項１３】
前記制御手段の制御モードを選択するための選択手段をさらに備え、
前記選択手段が第１の制御モードを選択した場合、
前記制御手段は、
（Ａ）前記設定手段により設定された前記移行時間が所定時間より長く、かつ、前記第１機能が実行される場合は、該第１機能が実行されかつ前記移行時間のウエイト処理をした後に前記画像形成装置を前記第２電力モードへ移行させ、（Ｂ）前記設定手段により設定された前記移行時間が所定時間より長く、かつ、前記第２機能が実行される場合は、該第２機能が実行されかつ前記移行時間のウエイト処理をした後に前記画像形成装置を前記第２電力モードへ移行させ、（Ｃ）前記設定手段により設定された前記移行時間が前記所定時間以下であり、かつ、前記第１機能が実行される場合は、該第１機能が実行されかつ前記移行時間のウエイト処理をした後に前記画像形成装置を前記第２電力モードへ移行させ、（Ｄ）前記設定手段により設定された前記移行時間が前記所定時間以下であり、かつ、前記第２機能が実行される場合は、該第２機能が実行された後に前記移行時間のウエイト処理をせずに前記画像形成装置を前記第２電力モードへ移行させ、
前記選択手段が第２の制御モードを選択した場合、
前記制御手段は、
（Ｅ）前記第１機能が実行されかつ前記移行時間のウエイト処理をした後に前記画像形成装置を前記第２電力モードへ移行させ、（Ｆ）前記第２機能が実行された後に前記移行時間のウエイト処理をせずに前記画像形成装置を前記第２電力モードへ移行させる、ことを特徴とする請求項１１又は１２に記載の画像形成装置。
【請求項１４】
前記選択手段が第３の制御モードを選択した場合、
前記制御手段は、
（Ｇ）前記第１機能が実行されかつ前記移行時間のウエイト処理をした後に前記画像形成装置を前記第２電力モードへ移行させ、（Ｈ）前記第２機能が実行されかつ前記移行時間のウエイト処理をした後に前記画像形成装置を前記第２電力モードへ移行させる、ことを特徴とする請求項１３に記載の画像形成装置。
【請求項１５】
前記制御手段は、
（Ｄ）前記設定手段により設定された前記移行時間が前記所定時間以下であり、かつ、前記第１機能が実行される場合は、該第１機能が実行された後すぐに前記画像形成装置を前記第２電力モードに移行させる、ことを特徴とする請求項１１に記載の画像形成装置。
【請求項１６】
ユーザからの操作を受け付ける操作部をさらに備え、
前記第１機能は、前記操作部を用いてユーザが開始指示をしたことに応じて実行される機能である、ことを特徴とする請求項１１乃至１５のいずれか１項に記載の画像形成装置。
【請求項１７】
前記第１機能は、コピー機能である、ことを特徴とする請求項１６に記載の画像形成装置。
【請求項１８】
外部装置からネットワークを介して送信される画像データを受信する受信手段をさらに備え、
前記第２機能は、前記受信手段により画像データを受信したことに応じて実行される機能である、ことを特徴とする請求項１１乃至１７のいずれか１項に記載の画像形成装置。
【請求項１９】
前記第２機能は、プリント機能である、ことを特徴とする請求項１８に記載の画像形成装置。
【請求項２０】
第１機能を実行する第１負荷および第２機能を実行する第２負荷を有し、第１電力モードおよび該第１電力モードより消費電力が小さい第２電力モードを有する画像形成装置の制御方法であって、
前記第１電力モードから前記第２電力モードに移行するための移行時間を設定する設定工程と、
（Ａ）前記設定工程で設定された前記移行時間が所定時間より長く、かつ、前記第１機能が実行される場合は、該第１機能が実行されかつ前記移行時間のウエイト処理をした後に前記画像形成装置を前記第２電力モードへ移行させ、（Ｂ）前記設定工程で設定された前記移行時間が所定時間より長く、かつ、前記第２機能が実行される場合は、該第２機能が実行されかつ前記移行時間のウエイト処理をした後に前記画像形成装置を前記第２電力モードへ移行させ、（Ｃ）前記設定工程で設定された前記移行時間が前記所定時間以下であり、かつ、前記第１機能が実行される場合は、該第１機能が実行されかつ前記移行時間のウエイト処理をした後に前記画像形成装置を前記第２電力モードへ移行させ、（Ｄ）前記設定工程で設定された前記移行時間が前記所定時間以下であり、かつ、前記第２機能が実行される場合は、該第２機能が実行された後に前記移行時間のウエイト処理をせずに前記画像形成装置を前記第２電力モードへ移行させる、制御工程と、
を有することを特徴とする画像形成装置の制御方法。
【請求項２１】
第１機能を実行する第１負荷および第２機能を実行する第２負荷を有し、第１電力モードおよび該第１電力モードより消費電力が小さい第２電力モードを有する画像形成装置により読み取り可能なプログラムであって、
前記第１電力モードから前記第２電力モードに移行するための移行時間を設定する設定工程と、
（Ａ）前記設定工程で設定された前記移行時間が所定時間より長く、かつ、前記第１機能が実行される場合は、該第１機能が実行されかつ前記移行時間のウエイト処理をした後に前記画像形成装置を前記第２電力モードへ移行させ、（Ｂ）前記設定工程で設定された前記移行時間が所定時間より長く、かつ、前記第２機能が実行される場合は、該第２機能が実行されかつ前記移行時間のウエイト処理をした後に前記画像形成装置を前記第２電力モードへ移行させ、（Ｃ）前記設定工程で設定された前記移行時間が前記所定時間以下であり、かつ、前記第１機能が実行される場合は、該第１機能が実行されかつ前記移行時間のウエイト処理をした後に前記画像形成装置を前記第２電力モードへ移行させ、（Ｄ）前記設定工程で設定された前記移行時間が前記所定時間以下であり、かつ、前記第２機能が実行される場合は、該第２機能が実行された後に前記移行時間のウエイト処理をせずに前記画像形成装置を前記第２電力モードへ移行させる、制御工程と、
を実行させるためのプログラム。
【発明の詳細な説明】
【技術分野】
【０００１】
本発明は、複写機能、プリンタ機能等を有し、省電力制御を行なう画像形成装置、その制御方法及びプログラムに関するものである。
【背景技術】
【０００２】
複写機能やプリンタ機能等を備える画像形成装置は、装置の動作時に最大の電力を消費する。また、画像形成装置は、動作終了後、しばらく電力消費を継続し、一定時間以上が経過するまで何の操作も行われなかった場合にスリープモードへ移行する。特許文献１には、一定時間以上が経過するまで何の操作も行われない場合にスリープモードへ移行する時間の設定を、複写機能、プリンタ機能などの機能ごとに設定可能とする画像形成装置が提案されている。これにより、画像形成装置において細かい省電力制御が可能となる。つまり、特許文献１に記載の画像形成装置では、複写機能やプリンタ機能ごとに、スリープモードへ移行するまでの時間を設定することができる。
【先行技術文献】
【特許文献】
【０００３】
【特許文献１】特開２００５−１０７２８７号公報
【発明の概要】
【発明が解決しようとする課題】
【０００４】
しかしながら、上記従来技術では、スリープモードへ移行する時間の設定に関して、操作者がコピー機能、プリンタ機能など、機能ごとに設定する必要があり、操作者の操作が煩雑になってしまう。一方、スリープモードへ移行する時間の設定に関して１つの設定で行う場合は、コピー機能、プリンタ機能など、機能ごとにスリープモードへ移行するための詳細なスリープ制御ができないことになる。この場合、画像形成装置の省電力化を実現する上で必ずしも機能ごとに望ましいスリープ制御ができないという問題がある。
【０００５】
本発明は、上述の問題に鑑みて成されたものであり、機能ごとにスリープモードへ移行するためのスリープ制御を行なうとともに、操作者にとって使い勝手のよい操作体系を提供する画像形成装置及びその制御方法を提供することを目的とする。
【課題を解決するための手段】
【０００６】
本発明は、第１電力モードおよび該第１電力モードより消費電力が小さい第２電力モードで動作する画像形成装置であって、外部装置から送信される画像データを受信する受信手段と、原稿を読み取って画像データを取得する読取手段と、前記受信手段により受信された画像データに基づいて画像形成するプリント機能又は前記読取手段により取得された画像データに基づいて画像形成するコピー機能を実行する画像形成手段と、前記第１電力モードから前記第２電力モードに移行するための移行時間を設定する設定手段と、（Ａ）前記設定手段により設定された前記移行時間が所定時間より長く、かつ、前記コピー機能による画像形成が実行される場合は、該画像形成が実行されかつ前記移行時間のウエイト処理をした後に前記画像形成装置を前記第２電力モードへ移行させ、（Ｂ）前記設定手段により設定された前記移行時間が所定時間より長く、かつ、前記プリント機能による画像形成が実行される場合は、該画像形成が実行されかつ前記移行時間のウエイト処理をした後に前記画像形成装置を前記第２電力モードへ移行させ、（Ｃ）前記設定手段により設定された前記移行時間が前記所定時間以下であり、かつ、前記コピー機能による画像形成が実行される場合は、該画像形成が実行されかつ前記移行時間のウエイト処理をした後に前記画像形成装置を前記第２電力モードへ移行させ、（Ｄ）前記設定手段により設定された前記移行時間が前記所定時間以下であり、かつ、前記プリント機能による画像形成が実行される場合は、該画像形成が実行された後に前記移行時間のウエイト処理をせずに前記画像形成装置を前記第２電力モードへ移行させる、制御手段と、を備えることを特徴とする。また、本発明は、第１電力モードおよび該第１電力モードより消費電力が小さい第２電力モードを有する画像形成装置であって、前記画像形成装置が有する第１機能を実行する第１負荷および第２機能を実行する第２負荷と、前記第１電力モードから前記第２電力モードに移行するための移行時間を設定する設定手段と、（Ａ）前記設定手段により設定された前記移行時間が所定時間より長く、かつ、前記第１機能が実行される場合は、該第１機能が実行されかつ前記移行時間のウエイト処理をした後に前記画像形成装置を前記第２電力モードへ移行させ、（Ｂ）前記設定手段により設定された前記移行時間が所定時間より長く、かつ、前記第２機能が実行される場合は、該第２機能が実行されかつ前記移行時間のウエイト処理をした後に前記画像形成装置を前記第２電力モードへ移行させ、（Ｃ）前記設定手段により設定された前記移行時間が前記所定時間以下であり、かつ、前記第１機能が実行される場合は、該第１機能が実行されかつ前記移行時間のウエイト処理をした後に前記画像形成装置を前記第２電力モードへ移行させ、（Ｄ）前記設定手段により設定された前記移行時間が前記所定時間以下であり、かつ、前記第２機能が実行される場合は、該第２機能が実行された後に前記移行時間のウエイト処理をせずに前記画像形成装置を前記第２電力モードへ移行させる、制御手段と、を備えることを特徴とする。
【発明の効果】
【０００７】
本発明は、例えば、機能ごとにスリープモードへ移行するためのスリープ制御を行なうとともに、操作者にとって使い勝手のよい操作体系を提供する画像形成装置及びその制御方法を提供できる。
【図面の簡単な説明】
【０００８】
【図１】第１の実施形態に係る画像形成装置１００の構成例を示すブロック図である。
【図２】第１の実施形態に係るオペレーションパネル２０１の一例を示す図である。
【図３】第１の実施形態に係るスタンバイ状態を含むスリープ制御を説明するための図である。
【図４】第１の実施形態に係るスタンバイ状態を含まないスリープ制御を説明するための図である。
【図５】第１の実施形態に係る機能ごとのオートスリープ移行時間を説明するための図である。
【図６】第１の実施形態に係る表示部２０２に表示される設定画面６００の一例を示す図である。
【図７】第１の実施形態に係る画像形成装置１００におけるプリント動作時のスリープ制御の処理手順を示すフローチャートである。
【図８】第１の実施形態に係る画像形成装置１００におけるプリント動作時のスリープ制御の処理手順を示すフローチャートである。
【図９】第２の実施形態に係る表示部２０２に表示される選択画面９００の一例を示す図である。
【発明を実施するための形態】
【０００９】
以下に本発明の一実施形態を示す。以下で説明される個別の実施形態は、本発明の上位概念、中位概念及び下位概念など種々の概念を理解するために役立つであろう。また、本発明の技術的範囲は、特許請求の範囲によって確定されるのであって、以下の個別の実施形態によって限定されるわけではない。
【００１０】
＜第１の実施形態＞
＜画像形成装置の構成＞
以下では、図１乃至図８を参照して本発明の第１の実施形態について説明する。まず、図１を参照して、本実施形態における画像形成装置１００のハードウェア構成について説明する。ここでは、主に本発明を実現する上で重要となるブロックについて説明する。したがって、本発明における画像形成装置は、図１の構成に加えて、他のブロックを含んで実現されてもよい。
【００１１】
画像形成装置１００は、複数の負荷として、スキャナ部１０１、プリンタ部１０２、コントローラ部１０３、ネットワーク部１０４、記憶部１０５、操作部１０６、及び電源部１０８を備える。また、バス１０７は、コントローラ部１０３からの制御信号や各ブロック間のデータ信号が送受信されるシステムバスである。また、電源線１０９は、各ブロックへ電源を供給するための電源線である。また、画像形成装置１００は、装置の消費電力を低減するためのスリープモードにおいて、点線で示す電源線１０９のように、例えばスキャナ部１０１やプリンタ部１０２への電力供給を停止する。
【００１２】
スキャナ部１０１は、原稿を読み取り、読み取った画像を画像データとして出力する。プリンタ部１０２は、画像データに従って記録材等に画像を印刷する。コントローラ部１０３は、スキャナ部１０１で読み取った画像データの処理、プリンタ部１０２で印刷を行うデータの処理などのデータ処理、及び、画像形成装置１００の制御を統括的に行なう。ネットワーク部１０４は、クライアントＰＣなどの外部装置とのデータの送受信を制御する。記憶部１０５は、ハードディスクドライブ等で構成されており、スキャナ部１０１で読み取った画像データや印刷データの格納など、様々なデータの格納に使用される。
【００１３】
操作部１０６は、図２に示すオペレーションパネル２０１を制御し、各種情報の表示や、操作者からの指示入力の受付を制御する。電源部１０８は、省電力手段として機能し、各ブロックに対する電力供給を制御する。例えば、電源部１０８は、スリープモード時と通常モード時とで電力の供給先を変更する。ここで、スリープモードとは、一部のブロック（負荷）のみに電力を供給するモードであり、所定時間が経過する間に何の動作も行なわれなかった場合に移行するモードである。なお、本実施形態によれば、画像形成装置１００が有する複写機能や印刷機能などの機能ごとにスリープモードへ移行するためのスリープ制御を行なう。また、通常モードとは、例えば、図２に示す全てのブロックに電力を供給するモードである。
【００１４】
＜オペレーションパネル＞
次に、図２を参照して、画像形成装置１００のオペレーションパネル２０１について説明する。オペレーションパネル２０１は、操作部１０６によって制御される。オペレーションパネル２０１は画像形成装置１００の各種情報の表示、操作者からの指示入力を行う。表示部２０２は機能や操作者へのメッセージの表示を行う。また、表示部２０２は、タッチパネル形式の液晶パネルであり、表示されたソフトキーを押下することにより選択することができる。図２では例えばコピー機能の表示を行っている。
【００１５】
設定キー２０３は、画像形成装置の設定を行うキーである。テンキー２０４は数値等の入力に使用するキーである。クリアキー２０５は、例えばテンキー２０４の設定を間違えた場合などに、入力をデフォルト値に戻すためのキーである。節電キー２０６は、操作部１０６の消費電力を抑制するためのキーとなっており、このキーを押下することにより、操作部１０６の電源が切断される。操作部１０６を復帰させるためには、再度節電キー２０６を押下することにより、操作部１０６の制御が可能となる。
【００１６】
電源キー２０７は、画像形成装置１００の消費電力を抑制するためのキーとなっており、このキーを押下することにより、装置内の電源の切断制御が行われ、画像形成装置１００がスリープモードへ移行する。再度、電源キー２０７が押下されることにより、画像形成装置１００は、スリープモードからの復帰処理を行い、制御が可能となる。スタート／ストップキー２０８は、機能実行の起動／中止を行うキーである。たとえばコピー機能の場合、スタートキーの押下により、原稿の読み取りが開始される。動作を止めたい場合は、中止キーの押下により、動作が中止される。
【００１７】
＜スタンバイ状態を含むスリープ制御＞
次に、図３を参照して、スタンバイ状態を含むスリープ制御について説明する。図３は、消費電力と時間の関係を示し、縦軸に消費電力を示し、横軸に時間を示す。また、Ｗ１及びＷ２は任意の消費電力を示し、ｔ１〜ｔ６は任意の時刻を示す。
【００１８】
画像形成装置１００は、時刻ｔ１においてジョブを開始する。そして、時刻ｔ２のジョブ終了までＷ１の電力が消費される。その後、画像形成装置１００は、スタンバイ状態に遷移し、動作時より低いＷ２の電力が消費される。ここで、画像形成装置１００は、オートスリープを設定しており、時刻ｔ２から設定時間経過後となる時刻ｔ３において低電力となるスリープ状態へ移行する。
【００１９】
また、次のジョブが投入されると、画像形成装置１００は、時刻ｔ４においてジョブを開始する。そして、時刻ｔ５のジョブ終了までＷ１の電力が消費される。その後、画像形成装置１００は、スタンバイ状態に遷移し、動作時より低いＷ２の電力が消費される。上述したように、その後画像形成装置１００は、時刻ｔ５からオートスリープ設定時間経過後となる時刻ｔ６において低電力となるスリープ状態へ移行する。画像形成装置１００は、スタンバイ状態を含むスリープ制御を適用する場合、このようなサイクルで電力消費の制御を行う。
【００２０】
＜スタンバイ状態を含まないスリープ制御＞
次に、図４を参照して、スタンバイ状態を含まないスリープ制御について説明する。図４は、消費電力と時間の関係を示し、縦軸に消費電力を示し、横軸に時間を示す。また、Ｗ１１は任意の消費電力を示し、ｔ１１〜ｔ１４は任意の時刻を示す。
【００２１】
画像形成装置１００は、時刻ｔ１１においてジョブを開始する。そして、時刻ｔ１２のジョブ終了までＷ１１の電力が消費される。その後、図３に示すスタンバイ状態を含むスリープ制御の場合は、スタンバイ状態へ移行する。一方、スタンバイ状態を含まないスリープ制御では、ジョブ終了と同時に、時刻ｔ１２から低電力となるスリープ状態へ移行する。これにより、画像形成装置１００におけるスリープ制御においては、ジョブ終了後のスタンバイ状態の消費電力（図３に示す斜線部３０１の部分）の電力を削減することができる。
【００２２】
また、次のジョブが投入されると、画像形成装置１００は、時刻ｔ１３においてジョブを開始する。そして、時刻ｔ１４のジョブ終了までＷ１１の電力が消費される。その後、画像形成装置１００は、ジョブ終了と同時に、時刻ｔ１４から低電力となるスリープ状態へ移行する。画像形成装置１００は、スタンバイ状態を含まないスリープ制御を適用する場合、このようなサイクルで電力消費の制御を行う。
【００２３】
本実施形態によれば、上述したスタンバイ状態を含むスリープ制御と、スタンバイ状態を含まないスリープ制御を機能ごとに好適に適用する。具体的には、本実施形態に係る画像形成装置１００は、スリープへの移行時間（以下、オートスリープ移行時間と称する。）の設定時間を用いて、各機能ごとに適切なオートスリープ移行時間を決定する。以下では、プリント動作時（プリント機能：第２機能）のスリープ制御と、コピー動作時（コピー機能：第１機能）のスリープ制御とにおける具体的な制御について説明する。
【００２４】
＜プリント動作時のスリープ制御＞
次に、図７を参照して、画像形成装置１００におけるプリント動作時のスリープ制御の処理手順について説明する。以下で説明する処理は、コントローラ部１０３が記憶部１０５に格納されたプログラム等を読み出して実行することにより行なわれる。なお、以下に示すＳに続く番号は、各フローチャートのステップ番号を示す。
【００２５】
まず、Ｓ７０１において、コントローラ部１０３は、画像形成装置１００のスリープ時間の設定を行う。具体的には、コントローラ部１０３は、図２に示す設定キー２０３が押下されると、不図示の設定メニューを表示部２０２に表示する。さらに、設定メニューの中からオートスリープ移行時間の設定が選択されると、コントローラ部１０３は、図６に示すオートスリープ移行時間の設定画面６００を表示部２０２に表示する。
【００２６】
電源ＯＮ後のオートスリープ移行時間のデフォルト設定時間（初期値）は、例えば、図６に示すように１５分に設定されている。これは、図３を用いて説明したようにジョブが終了してから１５分が経過した後に低電力となるスリープ状態へ移行することを示している。オートスリープ移行時間を変更する場合は、設定画面６００において、設定時間増減キー６０１で現在の設定時間より下げるか、又は、現在の設定時間より上げる操作を行なうことにより、設定時間を変更することができる。その後、ＯＫボタン６０２が押下されると、オートスリープ移行時間の設定が変更される。
【００２７】
次に、Ｓ７０２において、コントローラ部１０３は、ＬＡＮ等によって接続されたＰＣから画像形成装置１００に対して送信された印刷データを受信する。続いて、Ｓ７０３において、コントローラ部１０３は、オートスリープ移行時間の現在の設定時間が初期値を超えるか否かを判定する。ここで、初期値を超える場合はＳ７０４に進み、初期値以下の場合はＳ７０７に進む。
【００２８】
オートスリープ移行時間の現在の設定時間が初期値以下の場合、Ｓ７０７において、コントローラ部１０３は、プリント処理を実行する。プリント処理が終了すると、スリープモードへの移行処理において、設定時間が初期値１５分以下の場合は、ジョブ終了後にすぐスリープモードに移行するための制御を行う。そのため、Ｓ７０８において、コントローラ部１０３は、プリント処理の終了後にウエイト０の処理（スキップ処理）を行い、Ｓ７０６においてスリープモードに移行するための制御を行なう。つまり、移行時間が設けられていないため、Ｓ７０７のプリント処理の実行後、すぐ（０分後）にスリープモードへ移行することになる。
【００２９】
一方、オートスリープ移行時間の現在の設定時間が初期値を超える場合は、Ｓ７０４において、コントローラ部１０３は、プリント処理を実行する。ここでは、例えば、Ｓ７０１において、設定画面６００の設定時間増減キー６０１で現在の設定時間より上げる操作が行なわれ、初期値が１５分から２０分に設定されている。プリント処理が終了すると、Ｓ７０５において、コントローラ部１０３は、オートスリープ移行時間が２０分に設定されているため、２０分のウエイト処理を行なう。具体的には、コントローラ部１０３は、例えば、タイマを用いて、オートスリープ移行時間の２０分間をカウントする。２０分が経過すると、コントローラ部１０３は、Ｓ７０６に進み、画像形成装置１００をスリープモードに移行するための制御を行う。
【００３０】
＜コピー動作時のスリープ制御＞
次に、図８を参照して、画像形成装置１００におけるコピー動作時のスリープ制御の処理手順について説明する。以下で説明する処理は、コントローラ部１０３が記憶部１０５に格納されたプログラム等を読み出して実行することにより行なわれる。
【００３１】
まず、Ｓ８０１において、コントローラ部１０３は、画像形成装置１００のスリープ時間の設定を行う。具体的には、設定方法は、Ｓ７０１で説明した方法と同様であるため説明を省略する。続いて、Ｓ８０２において、コントローラ部１０３は、コピージョブの起動を行う。例えば、原稿が原稿台に載置された後に、操作者によってスタート／ストップキー２０８が押下された場合に、コントローラ部１０３は、コピー動作を開始する。開始すると、画像形成装置１００は、スキャナ部１０１で原稿を読み取り、画像データをコントローラ部１０３によって処理し、プリンタ部１０２へ出力する。その後、Ｓ８０３において、コントローラ部１０３は、プリンタ部１０２によって、画像データのプリント処理を実行する。
【００３２】
コピーのプリント処理が終了すると、Ｓ８０４において、コントローラ部１０３は、スタンバイモードへ入リ、スリープ移行の時間のウエイトを行う。現在、例えばオートスリープ移行時間が１５分に設定されている場合、コントローラ部１０３は、プリント処理が終了してからスリープ移行時間の１５分間をカウントする。１５分が経過するとＳ８０５に進み、コントローラ部１０３は、画像形成装置１００をスリープモードに移行するための制御を行う。このように、コピー動作時においては、オートスリープ移行時間は設定時間の時間をそのまま用いることとなる。
【００３３】
次に、図５を参照して、オートスリープ移行時間の設定時間と、機能ごとに適用されるオートスリープ移行時間との関係について説明する。５１０は、図７及び図８で説明したプリント動作時及びコピー動作時のオートスリープ移行時間を示す表である。５１１は、設定画面６００を介して設定されたオートスリープ移行時間の設定時間を示す。５１２は、各設定時間に対する、コピー動作時の実際のオートスリープ移行時間を示す。５１３は、各設定時間に対する、プリント動作時の実際のオートスリープ移行時間を示す。
【００３４】
設定画面６００を介して設定されたオートスリープ移行時間の設定時間に対して、コピージョブのオートスリープ移行時間は、設定時間と同じ時間となる。また、プリントジョブの場合は、画像形成装置１００のデフォルト値（初期値）である１５分まではスリープ移行時間が０分となる。また、２０分以上のオートスリープ移行時間が設定されると、プリントジョブのオートスリープ移行時間は、設定時間と同じ時間となる。
【００３５】
つまり、本実施形態に係る画像形成装置１００は、オートスリープ移行時間の設定時間が予め設定された初期値（１５分）以下の場合は、コピー動作時において設定時間が経過すると、スリープ状態に移行し、プリント動作時においてジョブが終了するとすぐにスリープ状態へ移行する。また、オートスリープ移行時間の設定時間が予め設定された初期値を超える場合は、コピー動作時及びプリント動作時において、設定時間が経過するとスリープ状態に移行する。
【００３６】
以上説明したように、本実施形態に係る画像形成装置は、スリープモードへ移行するまでの移行時間の設定時間と、実行された機能とに応じて、上記移行時間を決定する。具体的には、画像形成装置は、実行された機能が第１機能の場合には、設定時間を移行時間に決定する。また、画像形成装置は、実行された機能が第２機能の場合であって、かつ、設定時間が初期値を超える場合には、設定時間を移行時間に決定する。さらに、画像形成装置は、実行された機能が第２機能の場合であって、かつ、設定時間が初期値以下の場合には、移行時間を設けないことを決定する。ここで、例えば、第１機能はコピー機能であり、第２機能はプリント機能である。これにより、画像形成装置は、機能ごとにスリープモードへ移行するためのスリープ制御を実行することができる。さらに、画像形成装置は、各機能ごとに上記設定時間を設定する必要がなく、操作者にとって使い勝手の良い操作体系を提供することができる。例えば、操作者は、設定時間を初期値を超える値に設定することにより、プリント処理後にすぐにスリープに入る動作を回避可能となり、立ち上がりが遅くなるという問題を解消できる。一方、操作者は、消費電力を低減したい場合に、設定時間を初期値以下に設定することにより、プリント処理後にすぐにスリープに入るように制御することができる。
【００３７】
＜第２の実施形態＞
以下では、図５及び図９を参照して、第２の実施形態について説明する。本実施形態は、第１の実施形態の構成に加え、３種類の移行モードを含む。設定キー２０３が押下されると不図示の設定メニューが現れ、その中から、オートスリープの移行モードの設定が選択されると、図９に示す移行モードの選択画面９００が表示部２０２に表示される。
【００３８】
選択画面９００は、節電モード９０１、強制節電モード９０２及びノーマルモード９０３のオートスリープの移行モードが選択可能に表示される。デフォルトの設定では、節電モード９０１が選択されている。節電モード９０１は、第１の実施形態と同様のスリープ制御を行なうため、図５の５１０の表のようにスリープ制御が行われる。詳細な説明については、第１の実施形態の説明と重複するため省略する。
【００３９】
次に、強制節電モード９０２を選択した場合について説明する。強制節電モード９０２は、図５の５２０に示す表のようにスリープ制御が行なわれる。５２１は、設定画面６００を介して設定されたオートスリープ移行時間の設定時間を示す。５２２は、各設定時間に対する、コピー動作時の実際のオートスリープ移行時間を示す。５２３は、各設定時間に対する、プリント動作時の実際のオートスリープ移行時間を示す。
【００４０】
設定画面６００を介して設定されたオートスリープ移行時間の設定時間に対して、コピージョブのオートスリープ移行時間は、設定時間と同じ時間となる。また、プリントジョブの場合は、５２１の設定に関わらず、オートスリープ移行時間は常に０分となる。つまり、強制節電モード９０２では、プリント処理が終了すると、すぐにスリープモードに移行する。したがって、強制節電モード９０２におけるプリント動作時には、図７のフローチャートにおいてＳ７０３の判定が行なわれず、Ｓ７０２の処理に続いて、Ｓ７０７、Ｓ７０８、Ｓ７０６の処理が実行される。
【００４１】
次に、ノーマルモード９０３を選択した場合について説明する。ノーマルモード９０３は、図５の５３０に示す表のようにスリープ制御が行なわれる。５３１は、設定画面６００を介して設定されたオートスリープ移行時間の設定時間を示す。５３２は、各設定時間に対する、コピー動作時の実際のオートスリープ移行時間を示す。５３３は、各設定時間に対する、プリント動作時の実際のオートスリープ移行時間を示す。
【００４２】
設定画面６００を介して設定されたオートスリープ移行時間の設定時間に対して、コピージョブのオートスリープ移行時間は、設定時間と同じ時間となる。また、プリントジョブの場合も同様に、オートスリープ移行時間は、設定時間と同じ時間となる。
【００４３】
このように、本実施形態によれば、節電モード９０１、強制節電モード９０２及びノーマルモード９０３の３種類の移行モードを設け、選択画面９００を介した操作者の選択によってスリープ制御を切り替える。
【００４４】
以上説明したように、本実施形態に係る画像形成装置は、移行時間を決定するための決定方法を選択可能（例えば、省電力モード、強制節電モード、ノーマルモードの選択）にし、選択された決定方法に従って移行時間を決定する。ここで、省電力モードは、第１の実施形態で説明した移行時間の決定方法である。また、強制節電モードでは、第１機能（例えばコピー機能）が実行された場合には、移行時間が設定時間に決定され、第２機能（例えばプリント機能）が実行された場合には、設定時間に関わらず移行時間が設けられない。また、ノーマルモードは、実行された機能に関係なく、移行時間が設定時間に決定される。これにより、より詳細にスリープ制御を行なうことができ、操作者のより多くの要望に応えることができる。
【００４５】
＜他の実施形態＞
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0005406609.tif 000002
【図２】
0005406609.tif 000003
【図３】
0005406609.tif 000004
【図４】
0005406609.tif 000005
【図５】
0005406609.tif 000006
【図６】
0005406609.tif 000007
【図７】
0005406609.tif 000008
【図８】
0005406609.tif 000009
【図９】
0005406609.tif 000010